(57)【要約】  本発明は、電気ヘアトリマー、とりわけ電気かみそりに関する。本発明によるヘアトリマーは、外刃（９）と下刃（１２）とを有する少なくとも１つのひげそりシステム（２）を備え、前記両刃は毛を切除するために協働する。外刃（９）は、下刃（１２）に隣接する少なくとも１つの内面（１７）と、肌と当接するように設けられた少なくとも１つの外面（１８）と、内面（１７）および外面（１８）の輪郭線間に延びる少なくとも１つの外側面（１９）とを有する。本発明は、外刃（９）の外側面（１９）および外面（１８）は、少なくとも部分的に鋭角な第１端部（２３）を形成することを特徴とする。
2008528077.tif 000002
【特許請求の範囲】
【請求項１】
外刃（９）と下刃（１２）とを有する少なくとも１つのひげそりシステム（２）を備えた電気ヘアトリマー、とりわけ電気かみそりにおいて、
前記両刃は、毛を切除するために協働し、
前記外刃（９）は、前記下刃（１２）に隣接する少なくとも１つの内面（１７）と、肌と当接するように設けられた少なくとも１つの外面（１８）と、前記内面（１７）および前記外面（１８）の輪郭線間に延びる少なくとも１つの外側面（１９）とを有し、
前記外刃（９）の前記外側面（１９）および前記外面（１８）は、少なくとも部分的に鋭角な第１端部（２３）を形成することを特徴とするヘアトリマー。
【請求項２】
前記外刃（９）の前記外面（１８）は平坦であり、かつ前記第１端部（２３）は、少なくとも部分的に８０°より小さい、好ましくは４０°乃至６０°の端部角を有することを特徴とする請求項１に記載のヘアトリマー。
【請求項３】
前記外刃（９）の前記外面（１８）は、三次元構造（２０、２１）を有することを特徴とする請求項１に記載のヘアトリマー。
【請求項４】
前記外刃（９）の前記外面（１８）は、起伏のある形状を有することを特徴とする請求項３に記載のヘアトリマー。
【請求項５】
前記外刃（９）の前記外側面（１９）と、前記外刃（９）の前記外面（１８）の前記第１端部（２３）領域における接面である平坦面（２４）とは、その間に少なくとも部分的に８０°より小さい、好ましくは４０°乃至６０°の角度を含むことを特徴とする請求項３または４に記載のヘアトリマー。
【請求項６】
前記外刃（９）の前記外側面（１９）および前記内面（１７）は、少なくとも部分的に鋭角であり、好ましくは４０°乃至６０°の第２端部（２２）を形成することを特徴とする請求項１乃至５のいずれかに記載のヘアトリマー。
【請求項７】
前記外刃（９）の前記外側面（１９）に、面取り部が形成されていることを特徴とする請求項１乃至６のいずれかに記載のヘアトリマー。
【請求項８】
面取り部は、前記外刃（９）の前記外面（１８）、好ましくは更に前記外刃（９）の前記内面（１７）まで延びていることを特徴とする請求項７に記載のヘアトリマー。
【請求項９】
前記外刃（９）は、前記内面（１７）に平行に配置された複数の歯（１０）を有するくし状体として構成されていることを特徴とする請求項１乃至８のいずれかに記載のヘアトリマー。
【請求項１０】
前記歯（１０）は、前記外刃（９）の蛇行形状の輪郭により構成されていることを特徴とする請求項９に記載のヘアトリマー。
【請求項１１】
前記外刃（９）および／または前記下刃（１２）は、Ｕ字形状断面を有することを特徴とする請求項１乃至１０のいずれかに記載のヘアトリマー。
【請求項１２】
前記外刃（９）および／または前記下刃（１２）は、移動可能であるとともにとりわけ直線振動動作を行なうことを特徴とする請求項１乃至１１のいずれかに記載のヘアトリマー。
【請求項１３】
前記外刃（９）および前記下刃（１２）は、互いに反対向きに同期して駆動可能であることを特徴とする請求項１２に記載のヘアトリマー。
【請求項１４】
前記外刃（９）の前記外面（１８）から突出する静止した押え要素（１５）が設けられていることを特徴とする請求項１乃至１３のいずれかに記載のヘアトリマー。
【請求項１５】
前記押え要素（１５）は、前記外刃（９）の構成に一体に組込まれていることを特徴とする請求項１４に記載のヘアトリマー。
【請求項１６】
短い毛を剃るためのシステム、とりわけ網刃システムとして構成された少なくとも１つの追加ひげそりシステム（３、４）が設けられていることを特徴とする請求項１乃至１５のいずれかに記載のヘアトリマー。
【請求項１７】
電気ヘアトリマー用、とりわけ電気かみそり用ひげそりシステムにおいて、
毛を切除するために協働する外刃（９）と下刃（１２）とを有し、
前記外刃（９）は、前記下刃（１２）に隣接する少なくとも１つの内面（１７）と、肌と当接するように設けられた少なくとも１つの外面（１８）と、前記内面（１７）および前記外面（１８）の輪郭線間に延びる少なくとも１つの外側面（１９）とを有し、
前記外刃（９）の前記外側面（１９）および前記外面（１８）は、少なくとも部分的に鋭角な第１端部（２３）を形成することを特徴とするひげそりシステム。
【発明の詳細な説明】
【技術分野】
【０００１】
本発明は、電気ヘアトリマーに係り、とりわけ電気かみそりに関する。また本発明は、電気ヘアトリマー用、とりわけ電気かみそり用のひげそりシステムに関する。
【背景技術】
【０００２】
仮に剃られる無精ひげがあまり長くなく、かつ肌から略垂直に伸びていれば、電気かみそりによって非常に良好なひげそり結果を得ることができる。とりわけ、完全なひげそりのために適切なものは、少なくとも１つの開口する網刃とこれと協働する下刃とを有する短毛ひげそりシステムである。しかしながら、仮に無精ひげに加え、長い毛も生えている場合、完全なひげそりを行なうことがかなり妨害される。このような長い毛がある場合、この毛が網刃内を通過し、下刃によって切断される可能性は相対的に低い。このため、網刃システムは、長い毛を予め網刃に適する長さに切るための長毛カッターとしはしば併用される。
【０００３】
いくつかのひげそりシステムを有する電気かみそりは、例えばＥＰ０，９１４，２３５Ｂ１およびＥＰ０，９２３，４３０Ｂ１によって知られている。ＥＰ０，９１４，２３５Ｂ１は、第１外刃とその中間部で相対動作するように設けられた第１下刃とを有する第１ひげそりシステムと、第２外刃とその下方で振動動作するように設けられた第２下刃とを有する第２ひげそりシステムとを備えた乾式かみそりを開示している。第１外刃は、振動動作するように設けられ、かつ肌振動部分として機能する。この場合、第１外刃は第２下刃と同じ振動数で駆動する。さらに第１外刃は、他のひげそりシステムの下で肌振動を生じさせることもあり得る。
【０００４】
ＥＰ０，９２３，４３０Ｂ１によれば、第１および第２ひげそりシステムを備えた乾式かみそりも知られている。第１ひげそりシステムの全ての刃は、切断とともに肌振動を生じさせるように駆動される。反対に、少なくとも１つの他のひげそりシステムの外刃は活動しない。同様に、第１ひげそりシステムの外刃が振動方式により動作され、これにより肌振動部分として機能するとともに、第２ひげそりシステムの外刃が活動しないこともあり得る。
【０００５】
これらの手段より、併存するあらゆる長い毛に関してひげそり結果は顕著に改善される。しかしながら、不利な条件下において、肌に近接して横たわる長い毛がひげそりシステムによって捉えられず、したがって切断されないこともあり得る。
【発明の開示】
【発明が解決しようとする課題】
【０００６】
本発明の目的は、毛が肌に近接して横たわっていても捉えることができ、できる限り高い信頼性で切除することができる電気ヘアトリマーを構成することにある。
【課題を解決するための手段】
【０００７】
本発明の目的は請求項１の特徴の組合せにより達成される。
【０００８】
本発明による電気ヘアトリマーは、とりわけ電気かみそりとして構成され、外刃と下刃とを有する少なくとも１つのひげそりシステムを備え、前記両刃は毛を切除するために協働する。外刃は、下刃に隣接する少なくとも１つの内面と、肌と当接するように設けられた少なくとも１つの外面と、内面および外面の輪郭線間に延びる少なくとも１つの外側面とを有している。本発明は、外刃の外側面および外面は、少なくとも部分的に鋭角な第１端部を形成することを特徴とする。
【０００９】
本発明の効果は、本発明によれば、毛を確実かつ徹底的に短くすることができ、とりわけ肌に近接して横たわる毛であっても、これを起こして切除できるかなりの確実性を有する。したがって、毛を徹底して短くするためには、本発明によるヘアトリマーが肌の同一の場所を一回のみまたは数回通過するだけで十分であり、これにより毛を短くするために必要とされる全体の時間を短縮することができる。
【００１０】
外刃の外面は平坦であっても良く、かつ第１端部は、少なくとも部分的に８０°より小さい、好ましくは４０°乃至６０°の端部角を有していても良い。この角度範囲により、肌への刺激または肌の負傷をほとんど生じるおそれがなく、毛を徹底的に短くすることができる。
【００１１】
本発明によるヘアトリマーの更なる側面として、外刃の外面は三次元構造を有していても良い。これにより肌表面を部分的に変形させ、これによりとりわけ肌に近接して横たわる毛に関して、毛を切除する効率を更に高めることができる。この場合、外刃の外面は、起伏のある形状を有するととりわけ有利である。この外面が三次元構造を有する場合において、外刃の外側面と、外刃の外面の第１端部領域における接面である平坦面とは、その間に少なくとも部分的に８０°より小さい、好ましくは４０°乃至６０°の角度を含むように構成されることが好ましい。この仮想平坦面は、外面の三次元構造に関する角度を定めるため専ら役立つ。
【００１２】
外刃の外側面および内面は、少なくとも部分的に鋭角であり、好ましくは４０°乃至６０°の第２端部を形成しても良い。この第２端部の鋭角構造により、切除する力を軽減する。
【００１３】
好ましい実施の形態において、外刃の外側面に、面取り部が形成されている。この面取り部は、例えばエッチングにより比較的容易に作成することができ、これによりとりわけ肌に近接して横たわる毛を確実に持上げることができる。この面取り部は、外刃の外面、好ましくは更に外刃の内面まで延びていても良い。
【００１４】
外刃は、内面に平行に配置された複数の歯を有するくし状体として構成されていることが好ましい。この実施の形態において、歯は、とりわけ外刃の蛇行形状の輪郭により構成されていても良い。このように構成された外刃により、毛の通過が促進されるとともに、機械的に安定する。さらに、外刃および／または下刃は、Ｕ字形状断面を有していても良い。これにより十分な安定性が得られるとともに、ひげそりシステムを小型にすることができる。本発明の範囲内において、外刃および／または下刃は、移動可能であるとともにとりわけ直線振動動作を行なうことができる。この場合、例えば高い切除速度を達成しかつ振動を減少するため、外刃および下刃は、互いに反対向きに同期して駆動可能とすると有利である。
【００１５】
本発明によるヘアトリマーに、外刃の外面から突出する静止した押え要素が設けられていても良い。これら押え要素により、肌が外刃の動作に追随することを防止することができる。押え要素が外刃の構成に一体に組込まれていれば、とりわけ構成を小型化することができ、これにより余分な空間が全く必要とされないか、またはほとんどわずかしか必要とされない。
【００１６】
好ましくは、本発明によるヘアトリマーに、短い毛を剃るためのシステム、とりわけ網刃システムとして構成された少なくとも１つの追加ひげそりシステムが設けられている。これにより肌に極めて近い毛を徹底的に短くすることができる。
【００１７】
さらにまた、本発明は、毛を切除するために協働する外刃と下刃とを有する電気ヘアトリマー用、とりわけ電気かみそり用ひげそりシステムに関する。外刃は、下刃に隣接する少なくとも１つの内面と、肌と当接するように設けられた少なくとも１つの外面と、内面および外面の輪郭線間に延びる少なくとも１つの外側面とを有する。本発明によるひげそりシステムは、外刃の外側面および外面は、少なくとも部分的に鋭角な第１端部を形成することを特徴とする。
【００１８】
本発明は、添付図面に示される実施の形態を参照して更に詳細に説明される。
【発明を実施するための最良の形態】
【００１９】
図１は、本発明により構成された長毛カッター２を有する電気かみそりのかみそりヘッド１の一実施の形態を示す断面図である。長毛カッター２は、第１網刃システム３と第２網刃システム４との間の側面に沿って配置されている。第１網刃システム３は、第１網刃５と第１刃支持体６と有し、第２網刃システム４は、第２網刃７と第２刃支持体８と有している。長毛カッター２は毛を予め短くするために用いられ、これにより開口する網刃５、７の開口部を毛が容易に通過することができる。
【００２０】
同様に、長毛カッター２は、かみそりヘッド１において、異なる数の網刃システム３、４とともに用いられ、あるいは網刃システム３、４とは異なるひげそりシステムとともに用いられても良い。例えば長毛カッター２は、かみそりヘッド１の１つの網刃システム３または４の側面に沿って配置されても良い。さらに、長毛カッター２は、電気ひげそりまたは電気ヘアトリマーにおいて、追加の網刃システム３または４なしに用いられても良い。
【００２１】
図２は、本発明による長毛カッター２の一実施の形態の斜視図を示す。長毛カッター２の、関係する横断面図が図３に示される。長毛カッター２は、尖った端部へ向けて先細となる、複数の歯１０を有する蛇行形状のくし状体９を有している。２つの端部領域１１において、くし状体９は歯１０を有さず、平坦な構造からなっている。断面においてくし状体９はＵ字形状構造からなり、このため、これは例えば３つの部材を互いに溶接して構成されている。くし状体９の内部空間には、複数の横溝を有するとともに、同様に横断面Ｕ字形状からなる刃１２が配置され、この刃は、くし状体９の歯１０に対して弾力的に配置されている。長毛カッター２の対向する狭い側面に配置された２つの合成樹脂製保持アーム１３を用いることにより、長毛カッター２をその取付環境内、例えば図１に示すかみそりヘッド１内に固定することができる。２つの保持アーム１３は、長毛カッター２の側面方向に沿って延びる２つの押え棒１４により互いに連結されている。押え棒１４は、押え棒１４の長手方向に沿って互いに間隔を空けて設けられるとともにくし状体９から突出するいくつかの押え要素１５を有している。くし状体９および刃１２は、レバー機構１６により駆動可能である。
【００２２】
好ましくは、くし状体９および刃１２は、互いに反対向きに同期して、長手方向に平行に、同一振動数で直線振動動作するようになっており、くし状体９は典型的には振幅約０．２ｍｍの振動をする。あるいは、くし状体９のみまたは刃１２のみを駆動させることも可能である。くし状体９の振動動作により、長毛カッター２が肌上を通過する際、くし状体９が肌と係合し、肌に近接して横たわる毛を持上げることを補助する。これが生じる際、くし状体９の動作に肌が追随することを防止するため、肌は押え要素１５により固定される。持上げられた毛および既に肌から起こされている毛は、くし状体９の歯１０間に案内されて刃１２に送り込まれ、刃１２とくし状体９との接触領域内で切除される。
【００２３】
毛を持上げることは、更にくし状体９の形状によっても補助される。これを、以下図４および図５を参照してより詳細に説明する。
【００２４】
図４は、図２の詳細拡大図を示す。これに関する詳細側面図が図５に示される。くし状体９の外形形状は本発明にとって非常に重要であり、またくし状体９の外形形状は内面１７、外面１８、および外側面１９により形成される。くし状体９の表面形状によっては、面１７、１８、および１９が互いに接続されず、またしたがって、複数の内面１７、複数の外面１８、および複数の外側面１９を有する構成となることもあり得る。くし状体９の内面１７は平坦であり、刃１２に対する係合面としての役割を果たす。くし状体９の外面１８は、本質的に内面１７と合同な形状であり、ひげそり作業中に肌と係合する。しかしながら、内面１７と異なり外面１８は、平坦ではなく起伏のある表面形状を有している。とりわけこの起伏は、くし状体９の長手方向に沿って互いに周期的に続く高位部２０および凹部２１により構成され、この方向に対して横向きには表面変位が存在しない。くし状体９の外側面１９は、内面１７と外面１８との間に延びるとともに、内面１７と組合せて切断端部２２を形成し、かつ外面１８と組合せて外端部２３を形成する。
【００２５】
くし状体９の外側面１９に形成されているのは、外側面１９が凹部形状となるような面取り部（フィレット部）である。そして、これはくし状体９の外端部２３が鋭角であり、すなわち９０°より小さい端部角を有することを意味する。さらに、外側面１９は、外面１８の外端部２３領域における接面である平坦面２４との間で９０°より小さい角度αを形成し、角度αは同様に鋭角となっている。これは、ひげそり中、肌に近接する外側面１９の一部領域が、肌表面と鋭角を形成することを意味する。これはくし状体９が肌表面に近接して横たわる毛を持上げることを促進し、これにより、このような毛を切断のために刃１２に供給する機会を増加する。この過程はくし状体９の外面１８の起伏形状により補助され、すなわち前記表面により肌表面の部分的変形を生じさせ、これによりとりわけそれぞれの毛の先端部領域と肌表面との間の距離を増加させることができる。
【００２６】
原理上、くし状体９の毛梳き動作により、角度αが小さいほど毛を肌表面からより確実に持上げることができる。しかしながら、角度αの大きさが小さくなればそれだけ肌を傷付けたり肌を刺激したりする危険が増加し、すなわちこれは角度αを極端に小さくしてはいけないことを意味する。負傷の危険性は、くし状体９の外端部２３に丸みを付与することにより減少させることができる。しかしながら、この端部の半径が増加するにしたがってくし状体による持上げ効果が減少するため、端部の半径はあまり大きくしてはならない。丸められた外端部２３の有意な値を得るため、角度αは、この丸みの外方であるが可能な限りくし状体９の外面１８に近接した箇所で設定される。角度αとしては、８０°以下の値を用いるのが好ましく、４０°乃至６０°の範囲が持上げ効果と負傷の危険性との良い調和を示す。
【００２７】
くし状体９の外側面１９上の面取り部により、切断端部２２が鋭角になるという更なる結果を生じ、これは切断角が９０°より小さくなることを意味する。くし状体９の内面１７と外面１８との間において、対称的な構造および位置をもつ面取り部を設けた場合、切断角は角度αと同値となる。切断端部２２の鋭角構造により、矩形構造の場合と比較して切断する力を低減することができる。このようにして、角度αと同値、すなわち切断角４０°乃至６０°という良好な結果を達成することができる。しかしながら、外端部２３と異なり、切断端部２２は、丸みを全く付与されてないか、あるいはせいぜいごくわずかに丸みを付与される程度である。
【００２８】
とりわけ網刃システム３、４のような追加ひげそりシステムと組合せると、長毛カッター２のために使用可能な空間はわずかしか存在せず、したがって長毛カッター２は小型の構造であることが望ましい。しかしながら、長毛カッター２の側面寸法を最小化することにより、直線振動するくし状体９と静止した押え要素１５との間の衝突の危険性が生じる。とりわけ図４から明らかとなるように、押え要素１５により長毛カッター２の側面寸法をごくわずかに増加させるために、押え要素１５がくし状体９の空間内に大部分一体に組込まれることも、いずれにせよあり得る。この目的のため、押え要素１５の１つと衝突するかもしれないくし状体９の各歯１０は、衝突のおそれがもはや全くないところまでその寸法が減少されている。歯１０の数は押え要素１５の数よりかなり多く、また、毛も一定角度で刃１２に供給されるので、いくつかの歯１０の側面寸法を減少させることも一般に正当化される。
【００２９】
本発明の変形例において、くし状体９の外面１８が平面形状からなっていても良い。さらに本発明は、くし状体９の外側面１９が、面取り部に代えて鋭角の外端部２３を生じさせる他の形状を有するように変形することもできる。この形状は直線および／または曲線の部分により生じさせることができる。
【図面の簡単な説明】
【００３０】
【図１】本発明により構成された、長毛カッターを有する電気かみそりのかみそりヘッドの一実施の形態を示す断面図。
【図２】本発明による長毛カッターの一実施の形態を示す斜視図。
【図３】図２に示す発明による長毛カッターの一実施の形態を示す断面図。
【図４】図２の詳細拡大図。
【図５】図４の詳細側面図。
【図１】
2008528077.tif 000003
【図２】
2008528077.tif 000004
【図３】
2008528077.tif 000005
【図４】
2008528077.tif 000006
【図５】
2008528077.tif 000007
【国際調査報告】
2008528077.tif 000008
2008528077.tif 000009
2008528077.tif 000010
2008528077.tif 000011
2008528077.tif 000012
2008528077.tif 000013